(57)【特許請求の範囲】
【請求項１】
少なくとも１つの端末を決定するための方法であって、
前記少なくとも１つの端末は、前記少なくとも１つの端末と無線セルラー通信ネットワークの基地局との間で転送される信号が中継器によって中継されなければならない端末であり、
前記基地局は、前記無線セルラー通信ネットワークのリソースを割り当てる
方法において、
前記方法は、管理エンティティによって実行される複数のステップとして、
‐物理リソースブロック及び／又は基準信号である前記リソースを少なくとも１つ識別するサウンディング要求を、前記中継器へ転送するステップと、
‐前記リソースの少なくとも一部が、どの端末（複数可）に割り当てられるのかを示す情報を前記基地局から受信するステップと、
‐リソースの指示子のリストを前記中継器から受信するステップと、
‐前記リソースの少なくとも一部がどの端末（複数可）に割り当てられるのかを示す前記情報と、前記リソースの指示子のリストとに従って、前記中継器が前記少なくとも１つの端末と前記基地局との間で転送される信号を中継しなければならない前記少なくとも１つの端末を決定するステップと、
を含み、
前記方法は、前記管理エンティティによって実行されるステップとして、メッセージを前記中継器へ転送するステップをさらに含み、
前記メッセージは、少なくとも１つの端末を前記中継器が決定することを可能にする情報を含み、この少なくとも１つの端末は、当該少なくとも１つの端末と前記基地局との間で転送される信号が前記中継器によって中継されなければならない端末である
ことを特徴とする、方法。
【請求項２】
前記指示子のリストは、前記中継器によって測定された受信信号のレベルの特性が高いＭ個に対応する、前記サウンディング要求において識別された物理リソースブロックのＭ個の指示子を含むか、又は、
前記指示子のリストは、前記中継器によって測定された受信信号のレベルの特性が所与の値よりも上にあるものに対応する、前記サウンディング要求において識別された各物理リソースブロックの指示子を含むか、又は、
前記指示子のリストは、前記中継器によって測定された受信基準信号のレベルの特性が最も高いＭ個に対応する、前記サウンディング要求において識別された基準信号のＭ個の指示子を含むか、又は、
前記指示子のリストは、前記中継器によって測定された受信基準信号のレベルの特性が所与の値よりも上にあるものに対応する、前記サウンディング要求において識別された各基準信号の指示子を含む
ことを特徴とする、請求項１に記載の方法。
【請求項３】
前記指示子のリストは、
前記サウンディング要求において識別された前記物理リソースブロックの少なくとも一部で前記中継器によって測定された受信信号のレベルの特性、及び／又は、
前記サウンディング要求において識別された受信基準信号の少なくとも一部のレベルの特性
を含むことを特徴とする、請求項１に記載の方法。
【請求項４】
前記指示子のリストは、
前記サウンディング要求において識別された前記物理リソースブロック上で前記中継器によって測定された受信信号のレベルが最も高いＭ個の特性、若しくは、
前記サウンディング要求において識別された受信基準信号のレベルが最も高いＭ個の特性、若しくは、
前記サウンディング要求において識別された前記物理リソースブロック上で前記中継器によって測定された、前記サウンディング要求において識別された受信基準信号のレベルが最も高いＭ個の特性
を含むか、又は、
前記指示子のリストは、
前記サウンディング要求において識別された前記物理リソースブロック上で前記中継器によって測定された受信信号のレベルの特性のうち所与の値よりも上にある特性、若しくは、
前記サウンディング要求において識別された受信基準信号のレベルの前記特性のうち前記所与の値よりも上にある特性、若しくは、
前記サウンディング要求において識別された前記物理リソースブロック上で前記中継器によって測定された、前記サウンディング要求において識別された受信基準信号のレベルの前記特性のうち、前記所与の値よりも上にある特性
を含むことを特徴とする、請求項３に記載の方法。
【請求項５】
前記リソースは少なくとも或る継続時間の間割り当てられることを特徴とし、
前記リソースの少なくとも一部がどの端末（複数可）に割り当てられるのかを示す情報は、前記リソースの少なくとも一部が、前記継続時間について又は各継続時間について、どの端末（複数可）に割り当てられるのかを示し、
前記リソースの指示子のリストは、１つの継続時間について又は各継続時間について受信されることを特徴とする、請求項１〜４のいずれか１項に記載の方法。
【請求項６】
前記リソースの少なくとも一部がどの端末（複数可）に割り当てられるのかを示す前記情報は、
良好でないデータレートを経験している端末（複数可）のうち、どの端末（複数可）に前記リソースの少なくとも一部が割り当てられるかを示す情報である
ことを特徴とする、請求項１〜５のいずれか１項に記載の方法。
【請求項７】
少なくとも１つの端末を決定することができる管理エンティティであって、
前記少なくとも１つの端末は、前記少なくとも１つの端末と無線セルラー通信ネットワークの基地局との間で転送される信号が中継器によって中継されなければならない端末であり、
前記基地局は、前記無線セルラー通信ネットワークのリソースを割り当てる
管理エンティティにおいて、
前記管理エンティティは、
‐物理リソースブロック及び／又は基準信号である前記リソースを少なくとも１つ識別するサウンディング要求を、前記中継器へ転送する手段と、
‐前記リソースの少なくとも一部がどの端末（複数可）に割り当てられるのかを示す情報を前記基地局から受信する手段と、
‐リソースの指示子のリストを前記中継器から受信する手段と、
‐前記リソースの少なくとも一部がどの端末（複数可）に割り当てられるのかを示す前記情報と、前記リソースの指示子のリストとに従って、前記中継器が前記少なくとも１つの端末と前記基地局との間で転送される信号を中継しなければならない前記少なくとも１つの端末を決定する手段と、
を備え、
前記管理エンティティは、メッセージを前記中継器へ転送する手段をさらに含み、
前記メッセージは、少なくとも１つの端末を前記中継器が決定することを可能にする情報を含み、この少なくとも１つの端末は、当該少なくとも１つの端末と前記基地局との間で転送される信号が前記中継器によって中継されなければならない端末である
ることを特徴とする、管理エンティティ。
【請求項８】
プログラマブルデバイス内に直接ロード可能とすることができるコンピュータプログラムであって、前記コンピュータプログラムがプログラマブルデバイスで実行されると、請求項１〜６のいずれか１項に記載の方法の前記ステップを実施するための命令又はコード部を含む、コンピュータプログラム。
【発明の詳細な説明】
【技術分野】
【０００１】
本発明は、概して、中継器が少なくとも１つの端末と無線セルラー通信ネットワークの基地局との間で転送される信号を中継しなければならない該少なくとも１つの端末を決定するための方法及びデバイスに関する。
【０００２】
将来の無線セルラー通信ネットワークは、現在の無線セルラー通信ネットワークによって使用される周波数帯域よりも高い周波数帯域を使用することになる。
【０００３】
特に都市環境における新しい無線セルラー通信ネットワークは、デッドゾーンを有する。デッドゾーンでは、基地局と端末との間で転送される信号は大きく減衰される。
【０００４】
中継器を設置することによってデッドゾーンを低減することが可能である。
【０００５】
無線セルラー通信ネットワークにおける中継器の配備は、正しく制御されない場合、全体的なシステム性能を高めるどころかかえって全体的なシステム性能を低下させるおそれがある。確かに、所与のセルにとって、他のセルの中継器は、その所与のセルの新たな干渉源になる可能性がある。これらの新たな干渉源は、他の基地局によって生成された干渉に加えられる。
【発明の概要】
【発明が解決しようとする課題】
【０００６】
本発明は、中継器によって生成される干渉の低減を目的とする。
【０００７】
この目的のために、本発明は、少なくとも１つの端末を決定するための方法であって、
前記少なくとも１つの端末は、前記少なくとも１つの端末と無線セルラー通信ネットワークの基地局との間で転送される信号が中継器によって中継されなければならない端末であり、
基地局は、無線セルラー通信ネットワークのリソースを割り当てる
方法において、
該方法は、管理エンティティによって実行されるステップとして、
‐リソースの少なくとも一部がどの１つ又は複数の端末に割り当てられるのかを示す情報を基地局から受信するステップと、
‐リソースの指示子のリストを中継器から受信するステップと、
‐リソースの少なくとも一部がどの端末（複数可）に割り当てられるのかを示す情報とリソースの指示子のリストとに従って、中継器が少なくとも１つの端末と基地局との間で転送される信号を中継しなければならない少なくとも１つの端末を決定するステップと、
を含むことを特徴とする方法に関する。
【０００８】
本発明は、少なくとも１つの端末を決定することができる管理エンティティであって、
前記少なくとも１つの端末は、前記少なくとも１つの端末と無線セルラー通信ネットワークの基地局との間で転送される信号が中継器によって中継されなければならない端末であり、
基地局は、無線セルラー通信ネットワークのリソースを割り当てる
管理エンティティにおいて、
該管理エンティティは、
‐リソースの少なくとも一部がどの端末（複数可）に割り当てられるのかを示す情報を基地局から受信する手段と、
‐リソースの指示子のリストを中継器から受信する手段と、
‐リソースの少なくとも一部がどの端末（複数可）に割り当てられるのかを示す情報と、リソースの指示子のリストとに従って、中継器が少なくとも１つの端末と基地局との間で転送される信号を中継しなければならない少なくとも１つの端末を決定する手段と、
を備えることを特徴とする、管理エンティティにも関する。
【０００９】
したがって、端末と基地局との間で転送される信号を中継しなければならない該端末の個数を制限することによって、中継器によって生成される干渉が低減される。
【００１０】
さらに、中継器は、基地局がどの端末にリソースを割り当てたのかに気付く必要はない。その結果、基地局と中継器との間の情報の交換は低減される。
【００１１】
特定の特徴によれば、リソースは、物理リソースブロック及び／又は基準信号である。
【００１２】
したがって、リソースが、物理リソースブロックであるとき、又は、基準信号を伴う物理リソースブロック（例として受信機でチャネル推定に使用されるパイロット信号のようなもの）であるとき、観測結果は非常に多くなり、信号強度のような特定のパラメーターのより良い推定を中継器が行うことができる。確かに、観測結果の数が多くなるほど、推定における雑音レベルは低くなる。リソースがパイロット信号のような基準信号であるとき、中継器は、いくつかの特定の基準信号の属性（複数の異なる端末のパイロット信号の直交性のようなもの）を利用することができる。確かに、例えば直交性属性を使用して、他の信号からの干渉を低減することにより、より良いパラメーター推定を取得することができる。
【００１３】
特定の特徴によれば、管理エンティティは、指示子のリストの受信に先立ち、サウンディング要求を中継器へ転送する。
【００１４】
したがって、中継器は、サウンディング要求を受信したときにのみ、サウンディング手順を実行する。中継器は、リソース上での受信機信号のレベルの特性の決定のように、サウンディングプロセスを絶えず実行することはない。いくらかのハードウェア複雑性及びバッテリ寿命がセーブされる。
【００１５】
さらに、中継器は、指示子のリストを絶えず送信する必要はなく、中継器と管理エンティティとの間のシグナリングのオーバーヘッドが低減される。
【００１６】
特定の特徴によれば、
指示子のリストは、中継器によって測定された受信信号のレベルの特性が最も高いＭ個のものに対応する物理リソースブロックのＭ個の指示子を含むか、又は、
指示子のリストは、中継器によって測定された受信信号のレベルの特性が所与の値よりも上にあるものに対応する各物理リソースブロックの指示子を含む。
【００１７】
したがって、管理エンティティは、少なくとも１つの端末と中継器との間に存在する実際の状況を表す情報を有する。
【００１８】
特定の特徴によれば、サウンディング要求は少なくとも１つのリソースを識別する。
【００１９】
したがって、中継器は、どの可能なリソースもサウンディングする必要がない。いくらかのハードウェア複雑性及びバッテリ寿命がセーブされる。
【００２０】
さらに、指示子のリストを低減することができる場合があり、中継器と管理エンティティとの間のシグナリングのオーバーヘッドも低減することができる場合がある。
【００２１】
特定の特徴によれば、
指示子のリストは、中継器によって測定された受信信号のレベルの特性が最も高いＭ個のものに対応する、サウンディング要求において識別された物理リソースブロックのＭ個の指示子を含むか、又は、
指示子のリストは、中継器によって測定された受信信号のレベルの特性が所与の値よりも上にあるものに対応する、サウンディング要求において識別された各物理リソースブロックの指示子を含むか、又は、
指示子のリストは、中継器によって測定された受信基準信号のレベルの特性が最も高いＭ個のものに対応する、サウンディング要求において識別された基準信号のＭ個の指示子を含むか、又は、
指示子のリストは、中継器によって測定された受信基準信号のレベルの特性が所与の値よりも上にあるものに対応する、サウンディング要求において識別された各基準信号の指示子を含む。
【００２２】
したがって、転送される情報の総量は制限される。
【００２３】
特定の特徴によれば、指示子のリストは、
サウンディング要求において識別された物理リソースブロックの少なくとも一部で中継器によって測定された受信信号のレベルの特性、及び／又は、
サウンディング要求において識別された受信基準信号の少なくとも一部のレベルの特性
を含む。
【００２４】
したがって、この追加の情報によって、管理エンティティは、中継器が、どの端末について、該端末及び基地局によって転送される信号を中継しなければならないのかをより効率的に決定することができる。中継器によって生成される干渉をあまりにも多く増加させることなく、デッドゾーンは低減される。
【００２５】
例えば、中継器によって測定された受信信号のレベルの特性がすべて非常に小さい場合、システム性能が改善されず、デッドゾーンが低減されないので、管理エンティティは、中継器がどの端末も中継しないことを決定することができる。
【００２６】
特定の特徴によれば、指示子のリストは、
サウンディング要求において識別された物理リソースブロック上で中継器によって測定された受信信号のレベルが最も高いＭ個の特性、若しくは、
サウンディング要求において識別された受信基準信号のレベルが最も高いＭ個の特性、若しくは、
サウンディング要求において識別された物理リソースブロック上で中継器によって測定された、サウンディング要求において識別された受信基準信号のレベルが最も高いＭ個の特性
を含むか、又は、指示子のリストは、
サウンディング要求において識別された物理リソースブロック上で中継器によって測定された受信信号のレベルの特性のうち所与の値よりも上にある特性、若しくは、
サウンディング要求において識別された受信基準信号のレベルの特性のうち所与の値よりも上にある特性、若しくは、
サウンディング要求において識別された物理リソースブロック上で中継器によって測定された、サウンディング要求において識別された受信基準信号のレベルの特性のうち所与の値よりも上にある特性
を含む。
【００２７】
したがって、この追加の情報によって、管理エンティティは、中継器が、どの端末について、該端末及び基地局によって転送される信号を中継しなければならないのかをより効率的に決定することができる。中継器によって生成される干渉をあまりにも多く増加させることなく、デッドゾーンは低減される。
【００２８】
さらに、管理エンティティは、少なくとも１つの端末と中継器との間に存在する実際の状況を表す情報を有する。
【００２９】
特定の特徴によれば、リソースは少なくとも或る継続時間の間割り当てられ、
リソースの少なくとも一部がどの端末（複数可）に割り当てられるのかを示す情報は、リソースの少なくとも一部が、継続時間について、又は各継続時間について、どの端末（複数可）に割り当てられるのかを示し、
リソースの指示子のリストは、１つの継続時間について、若しくは各継続時間について、又は複数の継続時間について受信される。
【００３０】
したがって、中継器は、リソースの端末特有の特性をいくつか求めることができ、適切な処理を実行することができる。すべての可能な端末にわたる推定は、その結果、必要とされず、ハードウェア複雑性及びバッテリ寿命をセーブすることができる。
【００３１】
さらに、本発明は、リソースが絶えず再割り当てされるシステムに適合される。
【００３２】
特定の特徴によれば、リソースの少なくとも一部がどの端末（複数可）に割り当てられるのかを示す情報は、良好でないデータレートを経験している端末（複数可）のうちどの端末にリソースの少なくとも一部が割り当てられるのかを示す情報である。
【００３３】
したがって、中継器は、性能を改善しなくてはならない端末についてのみ受信信号強度の推定及び性能の報告を行う。その結果、良好でないデータレートを経験している端末の性能改善を確保しながら、ハードウェア複雑性及びバッテリ寿命をセーブすることができる。
【００３４】
特定の特徴によれば、管理エンティティは、メッセージを中継器へ転送し、該メッセージは、中継器が少なくとも１つの端末と基地局との間で転送される信号を中継しなければならない該少なくとも１つの端末を中継器が決定することを可能にする情報を含む。
【００３５】
さらに別の態様によれば、本発明は、プログラマブルデバイス内に直接ロード可能とすることができるコンピュータープログラムであって、該コンピュータープログラムがプログラマブルデバイスで実行されると、本発明に従った方法のステップを実施するための命令又はコード部を含む、コンピュータープログラムに関する。
【００３６】
コンピュータープログラムに関する特徴的機能及び利点は、本発明による方法及びデバイスに関連して上述したものと同じであるので、ここでは繰り返さないことにする。
【００３７】
本発明の特徴は、一例の実施形態の以下の説明を読むことによってより明らかになる。該説明は、添付図面に関して作成されたものである。
【図面の簡単な説明】
【００３８】
【図１】本発明が実施される無線セルラー通信ネットワークのアーキテクチャを表す。
【図２】本発明が実施される中継器のアーキテクチャを表す図である。
【図３】本発明が実施される管理エンティティのアーキテクチャを表す図である。
【図４】本発明が実施される基地局のアーキテクチャを表す図である。
【図５】本発明による管理エンティティによって実行されるアルゴリズムの一例を開示する。
【図６】本発明による基地局によって実行されるアルゴリズムの一例を開示する。
【図７】本発明の第１の実現モードによる中継器によって実行されるアルゴリズムの一例を開示する。
【図８】本発明の第２の実現モードによる中継器によって実行されるアルゴリズムの一例を開示する。
【００３９】
図１は、本発明が実施される無線セルラー通信ネットワークのアーキテクチャを表す。
【００４０】
無線セルラー通信ネットワークでは、基地局ＢＳが、該基地局ＢＳによってハンドリングされる少なくとも１つの端末ＴＥへ信号を転送する。
【００４１】
基地局ＢＳは、アクセスノード又はノードＢ又はエンハンストノードＢとも呼ばれる。
【００４２】
端末ＴＥが基地局ＢＳを通じてリモートデバイスとの通信を確立することを可能にするのに必要な情報を基地局ＢＳが有するときに、基地局ＢＳは端末ＴＥをハンドリングする。
【００４３】
基地局ＢＳによって管理されるエリア又はセルは、そのセルにおいて基地局ＢＳと端末ＴＥとが通信することができるエリアである。
【００４４】
基地局ＢＳは、ダウンリンクチャネルを通じて端末ＴＥへ信号を転送し、アップリンクチャネルを通じて端末ＴＥにより転送された信号を受信する。
【００４５】
図１には、１つの中継器ＲＬが示されている。この中継器ＲＬは、基地局ＢＳと少なくとも１つの端末ＴＥとの間で転送される信号を中継する。
【００４６】
中継器ＲＬは、端末ＴＥをハンドリングする基地局ＢＳによって端末ＴＥへ転送された信号を受信し、これらの信号をダウンリンクチャネルを通じて端末ＴＥへ転送し、かつ／又は端末ＴＥによってアップリンクチャネルを通じて転送された信号を受信し、端末ＴＥをハンドリングする基地局ＢＳへこれらの信号を転送する。
【００４７】
ここで、中継器ＲＬは、異なるモードで動作することもできることに留意しなければならない。例えば、中継器ＲＬは、フェムト基地局のように動作することもできるし、又は従来の無線セルラー通信ネットワークの端末ＴＥについて知られているアイドルモードと同様のアイドルモードで動作することもできる。
【００４８】
アイドルモードは、中継器ＲＬが基地局ＢＳと少なくとも１つの端末ＴＥとの間で転送されるいかなる信号をも中継せず、無線セルラー通信ネットワークの他のどのデバイスにも中継器の位置の決定を可能にする信号を転送しないモードである。
【００４９】
基地局ＢＳは通信ネットワークＴＮに接続される。通信ネットワークＴＮは各基地局ＢＳをコアネットワークデバイスＣＮにリンクする。コアネットワークデバイスＣＮは無線セルラー通信ネットワークの動作をハンドリングする。
【００５０】
コアネットワークデバイスＣＮは、従来の無線セルラー通信ネットワークの従来のコアネットワークデバイスと同じ動作を実行する。
【００５１】
図１には、１つの管理エンティティＭＥが示されている。管理エンティティＭＥは、少なくとも１つの基地局ＢＳに含まれ、複数の基地局ＢＳの少なくとも１つのセルに含まれる複数の中継器を管理する。
【００５２】
一変形では、管理エンティティＭＥは、基地局ＢＳに含まれず、通信ネットワークＴＮを通じて該管理エンティティＭＥにリンクされた複数の基地局ＢＳのセルに含まれる複数の中継器ＲＬを管理する。
【００５３】
管理エンティティＭＥは、中継器コントローラーとも呼ばれる場合がある。
【００５４】
中継器ＲＬは、有線リンクＬ１を通じて通信ネットワークＴＮにリンクされる。リンクＬ１を通じて、中継器ＲＬと管理エンティティＭＥはメッセージを交換する。
【００５５】
一変形では、中継器ＲＬは、基地局ＢＳと通信ネットワークとの間の有線リンク、及び、基地局ＢＳと中継器ＲＬとの間の無線リンクＬ２を通じて、通信ネットワークＴＮにリンクされる。
【００５６】
図１には、明瞭にするために、１つの基地局ＢＳ及び１つの中継器ＲＬのみが示されているが、実際には、無線セルラー通信ネットワークは、多数の基地局ＢＳ及び中継器ＲＬを備える。
【００５７】
端末ＴＥは、例えば、移動電話、携帯情報端末、パーソナルコンピューターである。
【００５８】
図１には、明瞭にするために、１つの端末ＴＥのみが示されているが、実際には、無線セルラー通信ネットワークは多数の端末ＴＥを備える。
【００５９】
図２は、本発明の実施される中継器のアーキテクチャを表す図である。
【００６０】
中継器ＲＬは、例えば、バス２０１によって互いに接続されたコンポーネントと、図７又は図８に開示するプログラムによって制御されるプロセッサ２００とに基づくアーキテクチャを有する。
【００６１】
バス２０１は、プロセッサ２００を、読み出し専用メモリＲＯＭ２０２、ランダムアクセスメモリＲＡＭ２０３、ネットワークインターフェース２０６、及び無線インターフェース２０５にリンクする。
【００６２】
メモリ２０３は、変数を収容するように意図されたレジスタと、図７又は図８に開示するプログラムの命令とを含む。
【００６３】
プロセッサ２００は、無線インターフェース２０５の動作を制御する。
【００６４】
読み出し専用メモリ２０２は、図７又は図８に開示するプログラムの命令を含む。これらの命令は、中継器ＲＬに電源が投入されると、ランダムアクセスメモリ２０３へ転送される。
【００６５】
ネットワークインターフェース２０６は、例えば、ＤＳＬ（デジタル加入者線）モデム又はＩＳＤＮ（サービス統合デジタル網）インターフェース等である。このようなインターフェースを通じて、中継器ＲＬは、管理エンティティＭＥへメッセージを転送することができ、かつ／又は管理エンティティＭＥからメッセージを受信することができる。
【００６６】
無線インターフェース２０５は、中継器ＲＬが、基地局ＢＳへ／から、及び、少なくとも１つの端末ＴＥから成るリストに含まれる少なくとも１つの端末ＴＥへ／から、信号又はメッセージを転送及び／又は受信することを可能にする。
【００６７】
無線インターフェース２０５は、少なくとも１つの基地局ＢＳによって転送された信号を受信するダウンリンク受信モジュール２１０を備えることができ、少なくとも１つの端末ＴＥへ信号を転送するダウンリンク送信モジュール２１１を備えることができ、少なくとも１つの端末ＴＥによって転送された信号を受信するアップリンク受信モジュール２１２を備えることができ、少なくとも１つの基地局ＢＳへ信号を転送するアップリンク送信モジュール２１３を備えることができる。
【００６８】
図３は、本発明の実施される管理エンティティのアーキテクチャを表す図である。
【００６９】
管理エンティティＭＥは、例えば、バス３０１によって互いに接続されたコンポーネントと、図５に開示するプログラムによって制御されるプロセッサ３００とに基づくアーキテクチャを有する。
【００７０】
バス３０１は、プロセッサ３００を、読み出し専用メモリＲＯＭ３０２、ランダムアクセスメモリＲＡＭ３０３、及びネットワークインターフェース３０６にリンクする。
【００７１】
メモリ３０３は、変数を収容するように意図されたレジスタと、図５に開示するアルゴリズムに関連したプログラムの命令とを含む。
【００７２】
プロセッサ３００は、ネットワークインターフェース３０６の動作を制御する。
【００７３】
読み出し専用メモリ３０２は、図５に開示するアルゴリズムに関連したプログラムの命令を含む。これらの命令は、管理エンティティＭＥに電源が投入されると、ランダムアクセスメモリ３０３へ転送される。
【００７４】
管理エンティティＭＥは、ネットワークインターフェース３０６を通じて通信ネットワークＴＮに接続することができる。例えば、ネットワークインターフェース３０６は、ＤＳＬ（デジタル加入者線）モデム又はＩＳＤＮ（サービス統合デジタル網）インターフェース等である。このようなインターフェースを通じて、管理エンティティＭＥは、少なくとも１つの中継器ＲＬへ及び／若しくは少なくとも１つの基地局ＢＳへメッセージを転送することができ、かつ／又は、少なくとも１つの中継器ＲＬから及び／若しくは少なくとも１つの基地局ＢＳからメッセージを受信することができる。
【００７５】
ここで、管理エンティティＭＥが基地局ＢＳに含まれるとき、プロセッサ３００、メモリ３０２、ランダムアクセスメモリＲＡＭ３０３、及びネットワークインターフェース３０６は、基地局ＢＳのものであってもよいということに留意しなければならない。
【００７６】
図４は、本発明が実施される基地局のアーキテクチャを表す図である。
【００７７】
基地局ＢＳは、例えば、バス４０１によって互いに接続されたコンポーネントと、図６に開示するプログラムによって制御されるプロセッサ４００とに基づくアーキテクチャを有する。
【００７８】
バス４０１は、プロセッサ４００を、読み出し専用メモリＲＯＭ４０２、ランダムアクセスメモリＲＡＭ４０３、無線インターフェース４０５、及びネットワークインターフェース４０６にリンクする。
【００７９】
メモリ４０３は、変数と、図６に開示するアルゴリズムに関連付けられたプログラムの命令とを収容するように意図されたレジスタを含む。
【００８０】
プロセッサ４００は、ネットワークインターフェース４０６及び無線インターフェース４０５のオペレーションを制御する。
【００８１】
読み出し専用メモリ４０２は、図６に開示するアルゴリズムに関連付けられたプログラムの命令を含む。これらの命令は、基地局ＢＳに電源が投入されると、ランダムアクセスメモリ４０３へ転送される。
【００８２】
基地局ＢＳは、ネットワークインターフェース４０６を通じて通信ネットワークＴＮに接続される。例えば、ネットワークインターフェース４０６は、ＤＳＬ（デジタル加入者線）モデム又はＩＳＤＮ（サービス統合デジタル網）インターフェース等である。このようなインターフェースを通じて、基地局ＢＳは、少なくとも１つの管理エンティティＭＥ又は無線セルラー通信ネットワークを管理するコアネットワークデバイスＣＮへメッセージを転送することができる。
【００８３】
無線インターフェース４０５は、信号を、中継器ＲＬによって中継されるか否かに関わらず、少なくとも１つの端末ＴＥへ転送する少なくとも１つのダウンリンク送信モジュールを備え、また、少なくとも１つの端末ＴＥによって転送される信号を、中継器ＲＬによって中継されるか否かに関わらず受信するアップリンク受信モジュールを備える。
【００８４】
図５は、本発明による管理エンティティによって実行されるアルゴリズムの一例を開示する。
【００８５】
より正確には、本アルゴリズムは、管理エンティティＭＥのプロセッサ３００によって、周期的に、又は特定のイベント時に実行される。
【００８６】
管理エンティティＭＥが、１つの基地局ＢＳの１つのセルに含まれる複数の中継器ＲＬを管理するとき、本アルゴリズムは、その基地局ＢＳのそのセルに含まれる各中継器ＲＬについて並列に実行される。
【００８７】
管理エンティティＭＥが、複数の基地局ＢＳのセルに含まれる複数の中継器ＲＬを管理するとき、本アルゴリズムは、各基地局ＢＳのセルに含まれる各中継器ＲＬについて並列に実行される。
【００８８】
一変形では、プロセッサ３００は、１つの基地局ＢＳのセルに含まれるすべての中継器ＲＬについて、又は、各基地局ＢＳのセルに含まれるすべての中継器ＲＬについて、ステップＳ５００及びＳ５０１を１回ずつ実行する。ステップＳ５０２〜Ｓ５０６は、１つの基地局ＢＳのセルに含まれる各中継器ＲＬについて並列に実行されるか、又は各基地局ＢＳのセルに含まれる各中継器ＲＬについて並列に実行される。
【００８９】
ステップＳ５００において、プロセッサ３００は、ネットワークインターフェースＩ／Ｆ３０６を通じた基地局ＢＳへのセル情報要求メッセージの転送を指令する。
【００９０】
セル情報要求メッセージは、物理リソースブロック及び／又は基準信号のようなリソースを、識別する場合もあるし識別しない場合もある。
【００９１】
次のステップＳ５０１において、プロセッサ３００は基地局ＢＳからセル情報を受信する。
【００９２】
セル情報は、セル情報要求メッセージにおいて識別されたこれらの物理リソースブロックのそれぞれ及び／又はこれらの基準信号のそれぞれが割り当てられた各端末ＴＥを、識別する情報を含むことができる。
【００９３】
セル情報は、基地局ＢＳによってハンドリングされる端末ＴＥの少なくとも一部に基地局ＢＳにより割り当てられた物理リソースブロックＰＲＢの少なくとも一部（若しくは物理リソースブロックＰＲＢのそれぞれ）を識別する情報と、これらの物理リソースブロックＰＲＢのそれぞれが割り当てられた端末ＴＥを識別する情報とを含むことができる。
【００９４】
物理リソースブロックＰＲＢは、ダウンリンクチャネル及び／又はアップリンクチャネルの物理リソースブロックである。好ましくは、物理リソースブロックＰＲＢは、アップリンクチャネルの物理リソースブロックである。
【００９５】
セル情報は、
基地局ＢＳによってハンドリングされる各端末ＴＥのうち良好でないデータレートを経験している端末ＴＥに、その基地局ＢＳによって割り当てられた各物理リソースブロックＰＲＢを識別する情報と、
これらの物理リソースブロックのそれぞれが割り当てられた端末ＴＥを識別する情報と
を含むことができる。
【００９６】
良好でないデータレートを経験している端末ＴＥは、例えば、パケット再送信回数が所与の期間にわたって所与の回数を上回る端末ＴＥである。又は、端末ＴＥは、該端末ＴＥによって基地局ＢＳへフィードバックされたチャネル品質測定値若しくは基地局ＢＳによって測定されたチャネル品質測定値が所定のしきい値未満であるときに、良好でないデータレートを経験する。
【００９７】
より詳細には、セル情報は、
基地局ＢＳによってハンドリングされる各端末ＴＥのうち良好でないデータレートを経験している端末ＴＥに、その基地局ＢＳによって割り当てられた各物理リソースブロックＰＲＢを識別する情報と、
物理リソースブロックが少なくとも１つのサブフレームについて割り当てられた端末ＴＥを識別する情報と
を含むことができる。
【００９８】
サブフレームは、少なくとも１つの物理リソースブロックが端末ＴＥに割り当てられている基本時間期間である。
【００９９】
第２の実現モードによれば、セル情報は、さらに、各端末ＴＥについて、各識別された物理リソースブロックＰＲＢについて、及び、各サブフレームについて、基地局ＢＳによって端末ＴＥに割り当てられた基準信号の識別子を少なくとも１つ含む。
【０１００】
基準信号は、例としてチャネル推定の目的で端末ＴＥに割り当てられた例えばパイロット信号である。
【０１０１】
次のステップＳ５０２において、プロセッサ３００は、中継器ＲＬへのサウンディング要求の転送を指令する。
【０１０２】
サウンディング要求は、少なくとも１つの物理リソースブロックＰＲＢを識別し、かつ／又は、少なくとも１つの基準信号を識別し、かつ／又は、基地局ＢＳのセルを識別する、情報を含むことができる。
【０１０３】
サウンディング要求は、
少なくとも１つの物理リソースブロックＰＲＢを識別し、かつ／又は、少なくとも１つの基準信号を識別し、かつ／又は、基地局ＢＳのセルを識別する情報と、
中継器ＲＬが測定を実行しなければならない少なくとも１つのサブフレームを識別する情報と
を含むことができる。
【０１０４】
ここで、一変形では、ステップＳ５０１及びＳ５０２の実行順序は変更することができることに留意しなければならない。
【０１０５】
次のステップＳ５０３において、プロセッサ３００は、サウンディング要求に対する応答の受信を検出する。
【０１０６】
サウンディング要求の応答は、中継器ＲＬによって測定された受信信号のレベルの特性が最も高いＭ個の物理リソースブロックＰＲＢ及び／又は基準信号を識別する情報を含むことができる。
【０１０７】
受信信号のレベルの特性は、例として、相関演算のような任意の信号処理後に測定された又は測定されない受信信号の信号電力強度である。
【０１０８】
サウンディング要求の応答は、サウンディング要求において識別された各サブフレームについて、中継器ＲＬにより測定された受信信号のレベルの特性が最も高いＭ個の物理リソースブロックＰＲＢ及び／又は基準信号を識別する情報を含むことができる。
【０１０９】
このＭ個の物理リソースブロックＰＲＢ及び／又は基準信号とは、
サウンディング要求において識別された各サブフレームについて、各物理リソースブロック及び／又は各基準信号上で中継器ＲＬによって測定された受信信号のレベルの特性の中で、中継器ＲＬによって測定された受信信号のレベルの特性が最も高いＭ個の物理リソースブロックＰＲＢ及び／又は基準信号
とすることができる。
【０１１０】
ここで、Ｍは、１と物理リソースブロックの総数との間に含まれることに留意しなければならない。
【０１１１】
サウンディング要求の応答は、
サウンディング要求において識別された各サブフレームについて、
中継器ＲＬによって測定された受信信号のレベルの特性が所与のしきい値よりも上にある各物理リソースブロックＰＲＢ及び／又は各基準信号を識別する情報を含むことができる。
【０１１２】
サウンディング要求の応答は、
サウンディング要求において識別された少なくとも１つのサブフレーム又は各サブフレームについて、
サウンディング要求において識別された物理リソースブロック上で中継器ＲＬによって測定された受信信号のレベルの特性、及び／又は、サウンディング要求において識別された基準信号の受信信号のレベルの特性を含むことができる。
【０１１３】
サウンディング要求の応答は、
サウンディング要求において識別された少なくとも１つのサブフレーム又は各サブフレームについて、
サウンディング要求の応答において識別された物理リソースブロック上で中継器ＲＬによって測定された受信信号のレベルの特性、及び／又はサウンディング要求の応答において識別された基準信号の受信信号のレベルの特性を含むことができる。
【０１１４】
次のステップＳ５０４において、プロセッサ３００は、ステップＳ５０３において受信された応答をステップＳ５０１において受信されたセル情報に関連付ける。
【０１１５】
プロセッサ３００は、
サウンディング要求において識別された少なくとも１つのサブフレーム又は各サブフレームについて、
サウンディング要求の応答において識別された各物理リソースブロックＰＲＢ及び／又は各基準信号に、その物理リソースブロックＰＲＢ又は基準信号が割り当てられている端末ＴＥの識別子を関連付ける。
【０１１６】
次のステップＳ５０５において、プロセッサ３００は、端末ＴＥ（ただし、その少なくとも１つの端末ＴＥと無線セルラー通信ネットワークの基地局ＢＳとの間で転送される信号が、中継器ＲＬによって中継されなければならない、そのような端末ＴＥ）のそれぞれを決定する。
【０１１７】
中継器ＲＬが少なくとも１つの端末ＴＥと無線セルラー通信ネットワークの基地局ＢＳとの間で転送される信号を中継しなければならない各端末ＴＥは、
良好でないデータレートを経験している各端末ＴＥの識別子であって、サウンディング要求の応答において識別された物理リソースブロックの少なくとも１つ及び／又は基準信号の少なくとも１つが割り当てられている各端末ＴＥの識別子
を選択することによって決定することができる。
【０１１８】
中継器ＲＬが少なくとも１つの端末ＴＥと無線セルラー通信ネットワークの基地局との間で転送される信号を中継しなければならない各端末ＴＥは、
サウンディング要求において識別された物理リソースブロックの少なくとも１つ及び／又は基準信号の少なくとも１つが割り当てられている各端末ＴＥの識別子であって、中継器ＲＬによって測定された受信信号のレベルの特性が所与の値よりも上にある各端末ＴＥの識別子
を選択することによって決定することができる。
端末ＴＥについて中継器ＲＬによって測定された受信信号のレベルの特性は、サウンディング要求において識別されたサブフレームの期間中に該端末ＴＥに割り当てられたすべての物理リソースブロック及び／又はすべての基準信号にわたって、受信信号強度を平均化することにより取得することができる。
【０１１９】
次のステップＳ５０６において、プロセッサ３００は、中継器ＲＬへの少なくとも１つの端末ＴＥから成るリストの転送を指令する。
【０１２０】
少なくとも１つの端末ＴＥから成るリストは、中継器ＲＬが端末ＴＥと基地局ＢＳとの間で転送される信号を中継しなければならない各端末ＴＥの識別子を含むことができる。
【０１２１】
少なくとも１つの端末ＴＥから成るリストは、中継器ＲＬが、端末ＴＥと基地局ＢＳとの間で転送される信号の中継を開始しなければならない各端末ＴＥの識別子を含むことができる。
【０１２２】
少なくとも１つの端末ＴＥから成るリストは、中継器ＲＬが、端末ＴＥと基地局ＢＳとの間で転送される信号の中継を停止しなければならない各端末ＴＥの識別子を含むことができる。
【０１２３】
図６は、本発明による基地局によって実行されるアルゴリズムの一例を開示する。
【０１２４】
より正確には、本アルゴリズムは、基地局ＢＳのプロセッサ４００によって実行される。
【０１２５】
ステップＳ６００において、プロセッサ４００は、管理エンティティＭＥからのセル情報要求メッセージの受信を検出する。
【０１２６】
セル情報要求メッセージは、物理リソースブロック又は基準信号のようなリソースを、識別する場合もあるし識別しない場合もある。
【０１２７】
次のステップＳ６０１において、プロセッサ４００は、
セル情報要求メッセージにおいて識別された物理リソースブロックＰＲＢ及び／若しくは基準信号が基地局ＢＳによって割り当てられている端末ＴＥの識別子を取得するか、又は、
物理リソースブロックＰＲＢ及び／若しくは基準信号が基地局ＢＳによって割り当てられている端末ＴＥの識別子を取得する。
【０１２８】
次のステップＳ６０２において、プロセッサ４００は、良好でないデータレートを経験している基地局ＢＳによってハンドリングされる端末ＴＥの識別子を決定する。
【０１２９】
次のステップＳ６０３において、プロセッサ４００は、基地局ＢＳからのセル情報の転送を指令する。
【０１３０】
セル情報は、セル情報要求メッセージにおいて識別された物理リソースブロックＰＲＢのそれぞれ及び／又は基準信号のそれぞれが割り当てられた各端末ＴＥを識別する情報を含むことができる。
【０１３１】
セル情報は、
物理リソースブロックＰＲＢの少なくとも一部若しくは各物理リソースブロックＰＲＢ（ただし、基地局ＢＳによってハンドリングされる端末ＴＥの少なくとも一部に基地局ＢＳにより割り当てられたもの）を識別する情報と、
これらの物理リソースブロックＰＲＢのそれぞれが割り当てられた端末ＴＥを識別する情報とを含むことができる。
【０１３２】
セル情報は、
基地局ＢＳによってハンドリングされる各端末ＴＥのうち良好でないデータレートを経験している端末ＴＥに基地局ＢＳによって割り当てられた各物理リソースブロックＰＲＢを識別する情報と、
これらの物理リソースブロックＰＲＢのそれぞれが割り当てられた端末ＴＥを識別する情報と
を含むことができる。
【０１３３】
より詳細には、セル情報は、
基地局ＢＳによってハンドリングされる各端末ＴＥのうち良好でないデータレートを経験している端末ＴＥに基地局ＢＳによって割り当てられた各物理リソースブロックＰＲＢを識別する情報と、
物理リソースブロックが少なくとも１つのサブフレームについて割り当てられた端末ＴＥを識別する情報と
を含むことができる。
【０１３４】
第２の実現モードによれば、セル情報は、さらに、各端末ＴＥについて、識別された物理リソースブロックＰＲＢのそれぞれについて、及び、各サブフレームについて、基地局ＢＳによって端末ＴＥに割り当てられた基準信号の識別子を少なくとも１つ含む。
【０１３５】
図７は、本発明の第１の実現モードによる中継器によって実行されるアルゴリズムの一例を開示する。
【０１３６】
より正確には、本アルゴリズムは、中継器ＲＬのプロセッサ２００によって実行される。
【０１３７】
ステップＳ７００において、プロセッサ２００は、管理エンティティＭＥによって転送されたサウンディング要求メッセージの受信を検出する。
【０１３８】
サウンディング要求は、少なくとも１つの物理リソースブロックＰＲＢを識別し、かつ／又は、基地局ＢＳのセルを識別する情報を含むことができる。
【０１３９】
サウンディング要求は、
少なくとも１つの物理リソースブロックＰＲＢを識別し、かつ／又は、基地局ＢＳのセルを識別する情報と、
中継器ＲＬが測定を実行しなければならない少なくとも１つのサブフレームを識別する情報と
を含むことができる。
【０１４０】
次のステップＳ７０１において、プロセッサ２００は、少なくとも１つのサブフレームがサウンディング要求において識別されている場合に、サブフレームのインデックスｋを、サウンディング要求において識別されたサブフレームの値ｋ０に設定するか、又は、サウンディング要求において識別された最初のサブフレームの値ｋ０に設定する。
【０１４１】
次のステップＳ７０２において、プロセッサ２００は、物理リソースブロックＰＲＢのインデックスｊをヌル値に設定する。
【０１４２】
次のステップＳ７０３において、プロセッサ２００は、サブフレームｋについてインデックスｊの物理リソースブロックＰＲＢにおいて受信された１つ又は複数の受信信号のレベルの特性を計算するように無線インターフェース２０５に指令する。
【０１４３】
物理リソースブロックＰＲＢにおける受信信号は、異なる基地局ＢＳによってハンドリングされる複数の端末ＴＥが転送することができる。
【０１４４】
例えば、物理リソースブロックＰＲＢにおいて受信された１つ又は複数の受信信号のレベルの特性は、無線物理リソースブロックＰＲＢにおいて受信された信号の電力強度である。
【０１４５】
ここで、物理リソースブロックの割り当ては時間によって変化し得るので、基地局ＢＳによってハンドリングされるいくつかの端末ＴＥからの受信電力が平均化されることを回避するために、電力測定は、好ましくは単一のサブフレームに対して実行されることに留意しなければならない。
【０１４６】
無線セルラー通信ネットワークが、（例えば各端末ＴＥについてタイミングアドバンスメカニズムを使用して）アップリンクチャネルを同期させている場合、基地局ＢＳは、タイミングアドバンス値も中継器ＲＬに割り当てることができる。中継器ＲＬは、自身が受信する強い信号の送信元の端末ＴＥは近くにあるものと仮定し（すなわち、それらの端末ＴＥが、ほぼ同じタイミングアドバンス値を有するものと仮定し）、これらの端末から中継器ＲＬへの伝播時間は短いものと仮定する。中継器ＲＬは、端末ＴＥが信号を送信するアップリンクサブフレームが、中継器ＲＬの受信機において、中継器ＲＬが送信するアップリンクサブフレームと位置合わせされていると考える。
【０１４７】
基地局ＢＳがタイミングアドバンス値を中継器ＲＬに割り当てない場合、中継器ＲＬは、自身が受信する強い信号の送信元の端末ＴＥは近くにあるものと仮定する（すなわち、これらの端末ＴＥから中継器ＲＬへの伝播時間が短いと仮定する）。
【０１４８】
中継器ＲＬは、この場合、端末ＴＥが信号を送信するアップリンクサブフレームが位置合わせされていると考える。中継器ＲＬは、サブフレームタイミングを検出するための新しいアップリンクの割り当てにより、各物理リソースブロックＰＲＢ上で受信された信号の電力強度の変動を検出することができる。
【０１４９】
無線セルラー通信ネットワークがアップリンクチャネルを同期させていない場合、各端末ＴＥについて或るプリアンブルを決定してもよく、そのプリアンブルを各端末ＴＥによって転送されるアップリンク信号に挿入してもよい。中継器ＲＬは、このプリアンブルを使用して、自身が監視しなければならない端末ＴＥと同期することができる。
【０１５０】
次のステップＳ７０４において、プロセッサ２００は、ステップ７０３における測定が、監視すべき各物理リソースブロックＰＲＢについて実行されたか否かをチェックする。
【０１５１】
監視すべき物理リソースブロックは、アップリンクチャネルに利用可能な物理リソースブロックＰＲＢのすべてとすることもできるし、又はステップＳ７００において受信されたサウンディング要求において識別された物理リソースブロックＰＲＢとすることもできる。
【０１５２】
各物理リソースブロックＰＲＢが監視されていた場合、プロセッサ２００はステップＳ７０６に移動する。そうでない場合、プロセッサ２００はステップＳ７０５に移動する。
【０１５３】
ステップＳ７０５において、プロセッサ２００は、インデックスｊを１つインクリメントし、ステップＳ７０３に戻る。
【０１５４】
ステップＳ７０６において、プロセッサ２００は、ステップＳ７００で受信されたサウンディング要求において識別された各サブフレームが処理されたか否かをチェックする。
【０１５５】
ステップＳ７００で受信されたサウンディング要求において識別された各サブフレームが処理された場合、プロセッサ２００はステップＳ７０８に移動する。そうでない場合、プロセッサ２００はステップＳ７０７に移動する。
【０１５６】
ステップＳ７０７において、プロセッサ２００はインデックスｋを１つインクリメントし、ステップＳ７０２に戻る。
【０１５７】
ステップＳ７０８において、プロセッサ２００は、ステップＳ７００において受信されたサウンディング要求に対する応答を決定する。
【０１５８】
サウンディング要求の応答は、中継器ＲＬによって測定された受信信号のレベルの特性が最も高いＭ個の物理リソースブロックＰＲＢを識別する情報を含むことができる。
【０１５９】
サウンディング要求の応答は、サウンディング要求において識別された各サブフレームについて、中継器ＲＬによって測定された受信信号のレベルの特性が最も高いＭ個の物理リソースブロックＰＲＢを識別する情報を含むことができる。
【０１６０】
このＭ個の物理リソースブロックＰＲＢは、サウンディング要求において識別された各サブフレームについて、各物理リソースブロック上で中継器ＲＬによって測定された受信信号のレベルの特性の中で、中継器ＲＬによって測定された受信信号のレベルの特性が最も高いＭ個の物理リソースブロックＰＲＢとすることができる。
【０１６１】
サウンディング要求の応答は、サウンディング要求において識別された各サブフレームについて、中継器ＲＬによって測定された受信信号のレベルの特性のうち、所与のしきい値よりも上にある各特性を含むことができる。
【０１６２】
サウンディング要求の応答は、サウンディング要求において識別された少なくとも１つのサブフレーム又は各サブフレームについて、サウンディング要求において識別された物理リソースブロック上で中継器ＲＬによって測定された受信信号のレベルの特性を含むことができる。
【０１６３】
サウンディング要求の応答は、サウンディング要求の応答において識別された物理リソースブロック上で中継器ＲＬによって測定された受信信号のレベルの特性を含むことができる。
【０１６４】
次のステップＳ７０９において、プロセッサ２００は、無線インターフェース２０５を通じた又はネットワークインターフェース２０６を通じた管理エンティティＭＥへのサウンディング要求の応答の転送を指令する。
【０１６５】
図８は、本発明の第２の実現モードによる中継器によって実行されるアルゴリズムの一例を開示する。
【０１６６】
より正確には、本アルゴリズムは、中継器ＲＬのプロセッサ２００によって実行される。
【０１６７】
ステップＳ８００において、プロセッサ２００は、管理エンティティＭＥによって転送されたサウンディング要求メッセージの受信を検出する。
【０１６８】
次のステップＳ８０１において、プロセッサ２００は、管理エンティティＭＥによって転送された情報の受信を検出する。この情報は、少なくとも１つの物理リソースブロックＰＲＢ及び少なくとも１つの基準信号を識別するか、又は、少なくとも１つの基準信号を識別する。
【０１６９】
識別された基準信号のそれぞれは、少なくともその基地局ＢＳのセルにおいて端末ＴＥに一意に割り当てられた信号である。識別された基準信号は、例えばパイロット信号である。
【０１７０】
次のステップＳ８０２において、プロセッサ２００は、サウンディング要求継続期間を示す情報と、サウンディングを行わなければならない最初のサブフレームのインディシア（indicia）ｋ０との受信を検出する。
【０１７１】
サウンディング要求継続期間は、時間期間とすることもできるし、又はサブフレーム数として表すこともできる。
【０１７２】
次のステップＳ８０３において、プロセッサ２００は、サブフレームのインデックスｋを値ｋ０に設定する。
【０１７３】
次のステップＳ８０４において、プロセッサ２００は、基準信号のインデックスｉをヌル値に設定する。
【０１７４】
次のステップＳ８０５において、プロセッサ２００は、物理リソースブロックＰＲＢのインデックスｊをヌル値に設定する。
【０１７５】
次のステップＳ８０６において、プロセッサ２００は、基準信号ｉ及びサブフレームｋについて、インデックスｊの物理リソースブロックＰＲＢにおいて受信された受信基準信号ｉのレベルの特性を計算するように無線インターフェース２０５に指令する。
【０１７６】
異なる基地局ＢＳによってハンドリングされる複数の端末ＴＥが、サブフレームｋの物理リソースブロックｊにおいて信号を転送する場合があるので、基準信号ｉを識別することによって、基準信号ｉを他の信号と区別することが可能になる。
【０１７７】
例えば、物理リソースブロックＰＲＢにおいて受信された基準信号ｉのレベルの特性は、無線物理リソースブロックＰＲＢにおいて受信された信号と基準信号ｉとの相関の電力強度である。
【０１７８】
次のステップＳ８０７において、プロセッサ２００は、ステップ８０６における測定が、監視すべき各物理リソースブロックＰＲＢについて実行されたか否かをチェックする。
【０１７９】
この監視すべき物理リソースブロックＰＲＢは、アップリンクチャネルに利用可能な物理リソースブロックＰＲＢのすべてとすることもできるし、又はステップＳ８０１において識別された物理リソースブロックとすることもできる。
【０１８０】
各物理リソースブロックＰＲＢが監視されていた場合、プロセッサ２００はステップＳ８０９に移動する。そうでない場合、プロセッサ２００はステップＳ８０８に移動する。
【０１８１】
ステップＳ８０８において、プロセッサ２００は、インデックスｊを１つインクリメントし、ステップＳ８０６に戻る。
【０１８２】
ステップＳ８０９において、プロセッサ２００は、ステップＳ８０１において識別された各基準信号が処理されたか否かをチェックする。
【０１８３】
各基準信号が処理された場合、プロセッサ２００はステップＳ８１１に移動する。そうでない場合、プロセッサ２００はステップＳ８１０に移動する。
【０１８４】
ステップＳ８１０において、プロセッサ２００はインデックスｉを１つインクリメントし、ステップＳ８０５に戻る。
【０１８５】
ステップＳ８１１において、プロセッサ２００は、サウンディングが完了したか否かをチェックする。
【０１８６】
サウンディングが完了した場合、プロセッサ２００はステップＳ８１３に移動する。そうでない場合、プロセッサ２００はステップＳ８１２に移動する。
【０１８７】
ステップＳ８１２において、プロセッサ２００はインデックスｋを１つインクリメントし、ステップＳ８０４に戻る。
【０１８８】
ステップＳ８１３において、プロセッサ２００は、ステップＳ７００において受信されたサウンディング要求に対する応答を決定する。
【０１８９】
サウンディング要求の応答は、中継器ＲＬによって測定された受信基準信号のレベルの特性が最も高いＭ個の物理リソースブロックＰＲＢ及び／又は基準信号を識別する情報を含むことができる。
【０１９０】
サウンディング要求の応答は、サウンディング要求において識別された各サブフレームについて、中継器ＲＬによって測定された受信基準信号のレベルの特性が最も高いＭ個の物理リソースブロックＰＲＢ及び／又は基準信号を識別する情報を含むことができる。
【０１９１】
このＭ個の物理リソースブロックＰＲＢ及び／又は基準信号は、
基準信号上で、（又は、サウンディング要求において識別された各サブフレームの、各物理リソースブロック及び各基準信号上で、）中継器ＲＬによって測定された受信基準信号のレベルの特性の中で、中継器ＲＬによって測定された受信基準信号のレベルの特性が最も高いＭ個の物理リソースブロックＰＲＢ及び／又は基準信号とすることができる。
【０１９２】
サウンディング要求の応答は、サウンディング要求において識別された各サブフレームについて、中継器ＲＬによって測定された受信基準信号のレベルの各特性のうち所与のしきい値よりも上にある特性を含むことができる。
【０１９３】
サウンディング要求の応答は、
サウンディング要求において識別された少なくとも１つのサブフレームについて、又は各サブフレームについて、
サウンディング要求において識別された物理リソースブロック上で中継器ＲＬによって測定された受信基準信号のレベルの特性、及び／又は、サウンディング要求において識別された基準信号の受信基準信号のレベルの特性を含むことができる。
【０１９４】
サウンディング要求の応答は、サウンディング要求の応答において識別された物理リソースブロック上で中継器ＲＬによって測定された受信基準信号のレベルの特性及び／又はサウンディング要求の応答において識別された受信基準信号のレベルの特性を含むことができる。
【０１９５】
次のステップＳ８１４において、プロセッサ２００は、管理エンティティＭＥへの、無線インターフェース２０５を通じた又はネットワークインターフェース２０６を通じた応答の転送を指令する。
【０１９６】
当然のことながら、本発明の範囲から逸脱することなく、上述した本発明の実施形態に対して多くの変更を行うことができる。
【図１】
0005634394.tif 000002
【図２】
0005634394.tif 000003
【図３】
0005634394.tif 000004
【図４】
0005634394.tif 000005
【図５】
0005634394.tif 000006
【図６】
0005634394.tif 000007
【図７】
0005634394.tif 000008
【図８】
0005634394.tif 000009